(57)【特許請求の範囲】
【請求項１】
建物内の適所に設置された複数の火災感知器を接続した火災受信機と、この火災受信機に接続され、上記建物内の適所に設置された地区音響装置とで構成される、点検機能を備えた火災報知システムにおいて、
上記火災受信機は、上記火災感知器の発報試験時に火災信号を受信する毎に、上記火災感知器が接続された感知器回線の回線番号を判別し、判別した回線番号を、信号のオン、オフ期間の組み合わせで規定して、上記火災感知器に対応する地区音響装置に送出し、上記地区音響装置を、送出した信号に基づいて鳴動させることを特徴とする、点検機能を備えた火災報知システム。
【請求項２】
請求項１において、
上記火災受信機は、上記判別した回線番号を、２進法で規定し、「１」と「０」の各々を、信号のオン期間の長短で規定することを特徴とする、点検機能を備えた火災報知システム。
【請求項３】
請求項１において、
上記火災受信機は、上記判別した回線番号を、２進法で規定し、「１」を信号の所定のオン期間、「０」を信号のオフ期間でそれぞれ規定することを特徴とする、点検機能を備えた火災報知システム。
【請求項４】
請求項１において、
上記火災受信機は、上記判別した回線番号を、ローマ数字で規定し、このローマ数字を構成する要素毎に、信号のオン期間の長さをそれぞれ規定することを特徴とする、点検機能を備えた火災報知システム。
【請求項５】
火災感知器の発報試験時に火災信号を受信する毎に、上記火災感知器が接続された感知器回線の回線番号を判別し、判別した回線番号を、信号のオン、オフ期間の組み合わせで規定して、上記火災感知器に対応する地区音響装置に送出し、上記地区音響装置を、送出した信号に基づいて鳴動させる火災受信機と組み合わせて使用され、
少なくとも、回線番号をオン、オフ期間の組み合わせて規定した信号を入力するための入力手段と、上記入力手段により入力された信号を一時的に記憶する記憶手段と、上記記憶手段に記憶された信号より回線番号を判別する制御手段と、この判別した回線番号を表示手段に表示させるために操作する表示指示手段とを備えたことを特徴とする回線番号読替器であって、
上記制御手段は、上記表示指示手段により表示指示があったときには、上記記憶手段に記憶された信号のオン期間の長短より、回線番号を判別し、判別した回線番号を表示手段に表示させることを特徴とする回線番号読替器。
【請求項６】
請求項５において、
上記制御手段は、上記表示指示手段により表示指示があったときには、上記記憶手段に記憶された信号に対し、所定のオン期間を「１」、オフ期間を「０」と判別することで、上記回線番号を判別し、判別した回線番号を表示手段に表示させることを特徴とする回線番号読替器。
【請求項７】
請求項５において、
上記制御手段は、上記表示指示手段により表示指示があったときには、上記記憶手段に記憶された信号に対し、そのオン期間の長短によって、ローマ数字を構成する要素を判別し、判別された要素を組み合わせてローマ数字を構成させ、このローマ数字を回線番号に変換して表示手段に表示させることを特徴とする回線番号読替器。
【発明の詳細な説明】
【０００１】
【発明の属する技術分野】
本発明は、火災感知器の点検機能を備えた火災報知システムに関し、大規模な建物においても、地区音響装置の鳴動パターンを聞くことで、火災受信機が正常に動作しているかを確認することができるシステム、および地区音響装置の鳴動パターンをそのまま入力することで、火災感知器の回線番号に読み替えて表示させることができる回線番号読替器に関する。
【０００２】
【従来の技術】
従来から、ビルやマンション等には火災報知システムが導入され、集中監視室や管理人室などに火災受信機を設置して、各部屋や住戸などの煙濃度や周囲温度などのデータを基に、火災の発生を監視している。
火災受信機は、通常の監視状態では、各部屋やフロアなどに設置された、火災感知器が発報したときに、発報した火災感知器の接続されている感知器回線の回線番号（例：１回線）を表示し、また、音響鳴動部から警報音を鳴動させ、更に、対応する地区音響装置を鳴動させるようにしている。
【０００３】
ところで、このような火災報知システムでは、火災感知器の発報試験を、半年に１回行うことが法令で義務付けられており、このため、火災受信機を発報試験モードにしてから、火災感知器に試験器を近づけて、加熱あるいは加煙することにより、火災感知器を強制的に発報させる、いわゆるあぶり試験を行うことで、このような発報試験を行っている。
【０００４】
このとき、火災受信機では、発報した火災感知器が接続されている感知器回線の回線番号を表示するとともに、対応する地区音響装置を、回線番号の数だけ鳴動させるようになっている。
すなわち、発報した火災感知器が接続されている感知器回線の回線番号が、例えば第５回線の場合、地区音響装置では、「リン・リン・リン・リン・リン」と５回鳴動され、試験者がこの鳴動を聞くことで、火災受信機が正常に動作しているかを確認できるようになっている。
【０００５】
【発明が解決しようとする課題】
ところが、上記従来の火災報知システムでは、大規模な建物に設置した場合、感知器回線の数が多くなり、それに伴って、発報試験時に地区音響装置で鳴動される回数も多くなる。
したがって、試験者が、地区音響装置の鳴動回数をカウントすることが難しくなってしまい、火災受信機が正常に動作しているかを確認することが困難なものとなってしまう。
【０００６】
本発明は上記事情を考慮してなされたものであり、大規模な建物においても、地区音響装置の鳴動パターンを聞くことで、火災受信機が正常に動作しているかを確認することができる点検機能を備えた火災報知システム、および地区音響装置の鳴動パターンをそのまま入力することで、火災感知器の回線番号に読み替えて表示させることができる回線番号読替器を提供することを目的としている。
【０００７】
【課題を解決するための手段】
上記目的を達成するために、請求項１に記載の点検機能を備えた火災報知システムでは、火災受信機は、火災感知器の発報試験時に火災信号を受信する毎に、火災感知器が接続された感知器回線の回線番号を判別し、判別した回線番号を、信号のオン、オフ期間の組み合わせで規定して、火災感知器に対応する地区音響装置に送出し、地区音響装置を、送出した信号に基づいて鳴動させる。
【０００８】
請求項２に記載の点検機能を備えた火災報知システムでは、火災受信機は、判別した回線番号を、２進法で規定し、「１」と「０」の各々を、信号のオン期間の長短で規定する。
請求項３に記載の点検機能を備えた火災報知システムでは、火災受信機は、判別した回線番号を、２進法で規定し、「１」を信号の所定のオン期間、「０」を信号のオフ期間でそれぞれ規定する。
【０００９】
請求項４に記載の点検機能を備えた火災報知システムでは、火災受信機は、判別した回線番号を、ローマ数字で規定し、このローマ数字を構成する要素毎に、信号のオン期間の長さをそれぞれ規定する。
ここに、ローマ数字を構成する要素とは、例えば、回線番号が１０進法で「１７」のときには、まず、「Ｘ」と「Ｖ」と「Ｉ」の３種類とする。また、これらの要素毎に規定される信号のオン期間の長さとしては、例えば、「Ｘ」に対して１．０秒、「Ｖ」に対して０．５秒、「Ｉ」に対して０．１秒と、地区音響装置の鳴動を聞く試験者が区別しやすい長さにすればよい。
【００１０】
請求項５に記載の回線番号読替器では、火災感知器の発報試験時に火災信号を受信する毎に、上記火災感知器が接続された感知器回線の回線番号を判別し、判別した回線番号を、信号のオン、オフ期間の組み合わせで規定して、上記火災感知器に対応する地区音響装置に送出し、上記地区音響装置を、送出した信号に基づいて鳴動させる火災受信機と組み合わせて使用され、少なくとも、回線番号をオン、オフ期間の組み合わせて規定した信号を入力するための入力手段と、上記入力手段により入力された信号を一時的に記憶する記憶手段と、上記記憶手段に記憶された信号より回線番号を判別する制御手段と、この判別した回線番号を表示手段に表示させるために操作する表示指示手段とを備えたことを特徴とする回線番号読替器であって、上記制御手段は、上記表示指示手段により表示指示があったときには、上記記憶手段に記憶された信号のオン期間の長短より、回線番号を判別し、判別した回線番号を表示手段に表示させることを特徴とする。
ここに、制御手段は、信号のオン期間の長い方を「１」と判別する一方、信号のオン期間の短い方を「０」と判別するようになっている。
【００１２】
請求項７に記載の回線番号読替器では、制御手段は、表示指示手段により表示指示があったときには、記憶手段に記憶された信号に対し、所定のオン期間を「１」、オフ期間を「０」と判別することで、回線番号を判別し、判別した回線番号を表示手段に表示させる。
請求項８に記載の回線番号読替器では、制御手段は、表示指示手段により表示指示があったときには、記憶手段に記憶された信号に対し、そのオン期間の長短によって、ローマ数字を構成する要素を判別し、判別された要素を組み合わせてローマ数字を構成させ、このローマ数字を回線番号に変換して表示手段に表示させる。
【００１３】
ここに、記憶手段には、信号のオン期間の長さに対応して、予めローマ数字を構成する要素、例えば、間隔が１．０秒に対して要素を「Ｘ」、間隔が０．５秒に対して要素を「Ｖ」、間隔が０．１秒に対して要素を「Ｉ」と設定しておく必要があり、この際、記憶手段に記憶された信号のオン期間の長さが、それぞれ、１．０秒、０．５秒、０．１秒、０．１秒のときには、制御手段は、これらのオン期間をそれぞれ「Ｘ」、「Ｖ」、「Ｉ」、「Ｉ」と判別し、これらの要素を組み合わせて、ローマ数字「ＸＶＩＩ」を構成し、これを回線番号に変換して、表示手段に「１７」と表示させるようになっている。
【００１４】
【発明の実施の形態】
以下に、本発明の実施の形態について、図面とともに説明する。
図１は、本発明の点検機能を備えた火災報知システムの要部構成の一例を示すブロック図である。
このような火災報知システムにおいて、火災受信機１は、ＣＰＵ等で構成され、以下の各部を制御する信号処理部１０、感知器回線Ｌ１を介して火災信号を受信する受信部１１、感知器回線Ｌ１とその回線番号と鳴動させるべき地区音響装置とをそれぞれ対応付けて記憶した記憶部１２、受信部１１が火災信号を受信したときに、対応する地区音響装置を、信号処理部１０が判別した回線番号数、鳴動させるための地区音響部１３、受信部１１が火災信号を受信したときに、スピーカＳＰから警報音を出力させるための音響出力部１４、液晶画面や各種表示灯で構成される表示部１５、テンキーなどの各種操作キーで構成される操作部１６とを備えている。
【００１５】
このような火災報知システムでは、火災受信機１は、通常の監視状態では、火災感知器からの火災信号の受信に備えて待機しており、火災感知器が発報し、火災信号を出力したときには、信号処理部１０は、記憶部１２を参照して、発報した火災感知器が接続されている感知器回線Ｌ１の回線番号を判別し、判別した回線番号を表示部１５に表示させるとともに、音響出力部１４によって、スピーカＳＰより警報音を出力させ、更に、地区音響部１３より地区音響回線Ｌ２を介して信号を送出し、対応する地区音響装置を鳴動させる。
【００１６】
このシステムにおいて、火災受信機１を発報試験モードに設定し、試験者が、火災感知器に試験器を近づけて、加熱あるいは加煙することにより、火災感知器を強制的に発報させる、いわゆるあぶり試験を行うと、火災受信機１では、信号処理部１０が、発報した火災感知器が接続されている感知器回線Ｌ１の回線番号を判別し、判別した回線番号を表示部１５に表示させる。
【００１７】
また、信号処理部１０は、判別した回線番号を、２進法で表現し、例えば、図２（ａ）に示すように、「１」をオン期間の長い方、「０」をオン期間の短い方でそれぞれ規定し、判別した回線番号を「１００１（１０進法では「９」）」とする。
そして、信号処理部１０は、このような信号を、地区音響回線Ｌ２を介して、対応する地区音響装置に送出し、これを受信した地区音響装置では、受信した信号に基づいて鳴動する（ここでは「リーン・リン・リン・リーン」と鳴動される。）
ここで、信号処理部１０は、判別した回線番号を、図２（ｂ）に示すように規定してもよい。
【００１８】
ここでは、判別した回線番号を、２進法で規定し、信号のオン、オフ期間で規定しているが、所定のオン期間を「１」、オフ期間を「０」とそれぞれ規定するとともに、２進法で規定された回線番号の前後にそれぞれスタート信号、ストップ信号を付属させており、このような信号を受信した地区音響装置では、「リン・リーン・・リーーーーン・リン」と鳴動される。
【００１９】
なお、スタート信号、ストップ信号は、地区音響装置の鳴動開始あるいは鳴動停止を試験者に報知するために用いられるものなので、地区音響装置の鳴動を聞く試験者が、「１」を示すオン信号と区別しやすくするために、この信号より短い間隔にしてもよいし、この信号と同じ間隔にしてもよい。
更に、信号処理部１０は、判別した回線番号を、図３に示すように規定してもよい。
【００２０】
ここでは、判別した回線番号を、ローマ数字で規定し、このローマ数字を構成する要素毎に、オン期間の長さをそれぞれ規定している。
すなわち、図３では、判別した回線番号が１０進法で「１７」であるので、信号処理部１０は、この回線番号をローマ数字、すなわち「ＸＶＩＩ」と規定する。  そして、規定したローマ数字を、「Ｘ」、「Ｖ」、「Ｉ」、「Ｉ」と各要素に分解し、要素「Ｘ」に対してオン期間の長さを１．０秒、要素「Ｖ」に対してオン期間の長さを０．５秒、要素「Ｉ」に対してオン期間の長さを０．１秒とそれぞれ規定している。
【００２１】
このとき、記憶部１２は、予め、回線番号と対応するローマ数字を対応付けて登録するとともに、ローマ数字を構成する要素毎に、信号のオン期間の長さを設定しておくことが必要である。
このような信号を受信した地区音響装置では、「リーーーーン・リーン・リン・リン」と鳴動される。
【００２２】
試験者は、以上に示したような地区音響装置の鳴動を聞くことで、発報した火災感知器が接続されている感知器回線Ｌ１の回線番号を確認することができ、火災受信機が正常に動作しているかを確認することができる。
なお、ここでは、火災受信機１は、火災感知器Ｓを、複数の感知器回線Ｌ１を介して接続する、いわゆるＰ型受信機を用いて構成しているが、本発明はこれには限定されず、すべての火災感知器Ｓを共通の多重伝送線で接続する、いわゆるＲ型受信機を用いて構成してもよい。
【００２３】
この場合、発報試験モードを実行中に、火災感知器Ｓより火災信号を受信したときには、信号処理部１０は、受信した火災信号に含まれるアドレス情報を基にして、発報した火災感知器Ｓが接続される感知器回線Ｌ１の回線番号を判別する。
次に、本発明の回線番号読替器について、図４，５とともに説明する。
【００２４】
この回線番号読替器２は、上記した火災報知システムにおいて、火災感知器の発報試験を行う際に、試験者が所持するようになっており、試験者が地区音響装置の鳴動パターンに基づいて、信号を入力すれば、入力された信号より回線番号を判別し、判別した回線番号を、表示部２３に表示させるようになっている。
以上のような動作を可能とするための、その内部構成は以下のようになっている。
【００２５】
図４は回線番号読替器の内部構成の一例を示すブロック図である。
回線番号読替器２は、以下の各部を制御し、本発明の制御手段を構成する信号処理部２０、本発明の入力手段と表示指示手段とを構成する操作部２１、ＲＡＭ等で構成され、本発明の記憶手段を構成する記憶部２２、液晶画面や７セグメント表示器などで構成され、本発明の表示手段を構成する表示部２３を備えている。
【００２６】
次に、その外観例について図５に示す。
図５（ａ）では、入力手段は、短信号入力ボタン２１Ａと長信号入力ボタン２１Ｂとで、また、表示指示手段は表示指示ボタン２１Ｃで構成されており、試験者は、地区鳴動装置の鳴動パターンに基づいて、信号を、短信号入力ボタン２１Ａ、長信号入力ボタン２１Ｂを操作して入力するようになっている。
【００２７】
一方、図５（ｂ）では、入力手段は信号入力ボタン２１Ｄで、また、表示指示手段は表示指示ボタン２１Ｃで構成されており、試験者は、地区音響装置の鳴動パターンに基づいて、信号を、信号入力ボタン２１Ｄを操作して入力するようになっている。
図５（ａ）に示すような回線番号読替器２は、地区音響装置が、図２（ａ）に示すような信号に基づいて鳴動しているときに使用されるものであり、短信号入力ボタン２１Ａを操作すれば、記憶部２２にオン期間の短い信号が記憶され、長信号入力ボタン２１Ｂを操作すれば、記憶部２２にオン期間の長い信号が記憶されるようになっている。
【００２８】
そして、表示指示ボタン２１Ｃを操作すれば、信号処理部２０が、記憶部２２に記憶された信号のうち、オン期間の長い方を「１」、オン期間の短い方を「０」と判別することで、２進法で規定された回線番号を判別し、この回線番号を表示部２３に表示させる。
一方、図５（ｂ）に示すような回線番号読替器２は、地区音響装置が、図２（ｂ）に示すような信号に基づいて鳴動しているときに使用されるものであり、スタート信号、回線番号を示す信号、ストップ信号を順次信号入力ボタン２１Ｄを操作して入力すれば、入力されたこれらの信号は、一時的に記憶部２２に記憶され、表示指示ボタン２１Ｃを操作すれば、信号処理部２０が、記憶部２２に記憶されたこれらの信号をそれぞれ区別し、回線番号を示す信号については、所定のオン期間を「１」と判断する一方、オフ期間を「０」と判別することで、２進法で規定された回線番号を判別し、この回線番号を表示部２３に表示させる。
【００２９】
また、図５（ｂ）に示すような回線番号読替器２は、地区音響装置が、図３に示すような信号に基づいて鳴動しているときに使用することもでき、信号を信号入力ボタン２１Ｄを操作して入力すれば、入力されたオン信号は、一時的に記憶部２２に記憶され、表示指示ボタン２１Ｃを操作すれば、信号処理部２０が、記憶部２２に記憶された信号のオン期間の長さより、ローマ数字を構成する要素を判別し、判別された各要素を組み合わせてローマ数字を構成し、このローマ数字を回線番号に変換し、表示部２３に表示させる。
【００３０】
ここに、記憶部２２には、信号のオン期間の長さに対応して、予めローマ数字を構成する要素、例えば、オン期間の長さが１．０秒に対して要素を「Ｘ」、オン期間の長さが０．５秒に対して要素を「Ｖ」、オン期間の長さが０．１秒に対して要素を「Ｉ」と設定しておく必要があり、この際、記憶部２２に記憶された信号のオン期間の長さが、それぞれ、１．０秒、０．５秒、０．１秒、０．１秒のときには、信号処理部２０は、これらのオン期間をそれぞれ「Ｘ」、「Ｖ」、「Ｉ」、「Ｉ」と判別し、これらの要素を組み合わせて、ローマ数字「ＸＶＩＩ」を構成し、これを回線番号に変換し、表示部２３に「１７」と表示させるようになっている。
【００３１】
【発明の効果】
以上の説明からも理解できるように、請求項１に記載の点検機能を備えた火災報知システムでは、火災受信機は、火災感知器の発報試験時に火災信号を受信する毎に、火災感知器が接続された感知器回線の回線番号を判別し、判別した回線番号を、信号のオン、オフ期間の組み合わせで規定し、火災感知器に対応する地区音響装置に送出し、地区音響装置を送出した信号に基づいて鳴動させるので、この鳴動を試験者が聞くことによって、火災受信機が正常に動作しているかを確認することができる。
【００３２】
請求項２に記載の点検機能を備えた火災報知システムでは、火災受信機は、判別した回線番号を２進法で規定し、「１」と「０」の各々を、信号のオン期間の長短で規定するので、大規模な建物でこのシステムを使用したときでも、この信号に基づく地区音響装置の鳴動を試験者が聞くことによって、発報した火災感知器が接続されている感知器回線の回線番号を容易に理解することができる。
【００３３】
請求項３に記載の点検機能を備えた火災報知システムでは、火災受信機は、判別した回線番号を、２進法で規定し、「１」を信号の所定のオン期間、「０」を信号のオフ期間でそれぞれ規定するので、大規模な建物でこのシステムを使用したときでも、この信号に基づく地区音響装置の鳴動を試験者が聞くことによって、発報した火災感知器が接続されている感知器回線の回線番号を容易に理解することができる。
【００３４】
請求項４に記載の点検機能を備えた火災報知システムでは、火災受信機は、判別した回線番号を、ローマ数字で規定し、このローマ数字を構成する要素毎に、信号のオン期間をそれぞれ規定するので、この信号に基づく地区音響装置の鳴動を試験者が聞くことによって、発報した火災感知器が接続されている感知器回線の回線番号を容易に理解することができる。
【００３５】
請求項５に記載の回線番号読替器では、少なくとも、１または複数の信号を入力するための入力手段と、入力手段により入力された信号を一時的に記憶する記憶手段と、記憶手段に記憶された信号より回線番号を判別する制御手段と、この判別した回線番号を表示手段に表示させるために操作する表示指示手段とを備えるので、試験者が、地区音響装置の鳴動パターンに基づいて、入力手段より信号を入力した後、表示指示手段を操作すれば、制御手段が、入力された信号より回線番号を判別し、判別した回線番号を表示手段に表示させるので、地区音響装置の鳴動パターンが理解しにくい試験者でも、容易に回線番号を確認することができる。
また、制御手段は、表示指示手段により表示指示があったときには、記憶手段に記憶された信号のオン期間の長短より、回線番号を判別し、判別した回線番号を表示手段に表示させるので、火災受信機が、判別した回線番号を２進法で規定し、「１」と「０」とを信号のオン期間の長短で規定して、地区音響装置をこの信号に基づいて鳴動させている際に有益である。
【００３７】
請求項６に記載の回線番号読替器では、制御手段は、表示指示手段により表示指示があったときには、記憶手段に記憶された信号に対し、所定のオン期間を「１」、オフ期間を「０」と判別することで、回線番号を判別し、判別した回線番号を表示手段に表示させるので、火災受信機が、判別した回線番号を２進法で規定し、信号の所定のオン期間を「１」、オフ期間を「０」とそれぞれ規定して、地区音響装置をこの信号に基づいて鳴動させている際に有益である。
【００３８】
請求項７に記載の回線番号読替器では、制御手段は、表示指示手段により表示指示があったときには、記憶手段に記憶された信号に対し、そのオン期間の長短によって、ローマ数字を構成する要素を判別し、判別された要素を組み合わせてローマ数字を構成させ、このローマ数字を回線番号に変換して表示手段に表示させるので、火災受信機が、判別した回線番号をローマ数字で規定し、このローマ数字を構成する要素毎に、信号のオン期間の長さをそれぞれ規定して、地区音響装置をこの信号に基づいて鳴動させている際に有益である。
【図面の簡単な説明】
【図１】本発明の点検機能を備えた火災報知システムの要部構成の一例を示すブロック図である。
【図２】地区音響装置の鳴動パターンの一例を示す図である。
【図３】地区音響装置の鳴動パターンの他例を示す図である。
【図４】本発明の回線番号読替器の内部構成の一例を示すブロック図である。
【図５】回線番号読替器の外観例を示す図である。
【符号の説明】
１・・・火災受信機
２・・・回線番号読替器
２０・・・信号処理部（回線番号読替器）
２１Ａ・・・短信号入力ボタン（回線番号読替器）
２１Ｂ・・・長信号入力ボタン（回線番号読替器）
２１Ｃ・・・表示指示ボタン（回線番号読替器）
２１Ｄ・・・信号入力ボタン（回線番号読替器）
２２・・・記憶部（回線番号読替器）
２３・・・表示部（回線番号読替器）
【図１】
0003661474.tif 000002
【図２】
0003661474.tif 000003
【図３】
0003661474.tif 000004
【図４】
0003661474.tif 000005
【図５】
0003661474.tif 000006